(57)【要約】    【課題】  トリムカバーをパッドに接着して自動車のシートのシートバックを製造するものにおいて、その製造効率を向上させることである。    【手段】  シートの組立ライン７上に載置した治具６に、フレーム５をセットし、そのフレーム５にパッド１、そして加熱接着剤３を介してトリムカバー２を被せた後、そのトリムカバー２の端末をパッド１の背面側でワイヤで固定し、然る後、トリムカバー１を加熱、加圧してパッド１に接着することを特徴とする。  【選択図】        図３
2009201629.tif 000002
【特許請求の範囲】
【請求項１】
背面の周縁に凹溝を有する発泡体製パッドをフレームに被せてパッドの前面より凹溝 
までトリムカバーで被覆して製造するシートバックの製造方法であって、
組立ライン上に移動可能に載置した治具にフレームを組付けるフレームセット工程と、
治具に組付けたフレームに前記パッドを装着するパッドセット工程と、
このパッドを加熱接着剤を介してトリムカバーで被覆するトリムカバー被覆工程と、
パッドの凹溝にトリムカバーの端末を弾性を有するワイヤで押えるトリムカバー固定    工程と、
前記トリムカバーを加熱しパッドに加圧して接着する接着工程と、
前記ワイヤをトリムカバーから取り外すワイヤ取り外し工程と
を順次有するシートバックの製造方法。
【請求項２】
前記接着工程はトリムカバーの上部より加熱水蒸気を噴霧する水蒸気過熱工程と、この水蒸気過熱工程の後に加圧型でトリムカバーをパッドに加熱圧着する圧着工程と、この圧着工程の次に熱乾燥室で乾燥する乾燥工程とからなる請求項１記載のシートバックの製造方法。
【請求項３】
前記ワイヤ取外し工程の後に、パッドの背面側に補強布を接着するパッド背面補強工程を有する請求項１記載のシートバックの製造方法。
【請求項４】
前記トリムカバー被覆工程の加熱接着剤はトリムカバーと別体のホットメルト接着剤である請求項１記載のシートバックの製造方法。
【発明の詳細な説明】
【技術分野】
【０００１】
本発明は、自動車用シートにおけるシートバックの製造方法に関する。
【背景技術】
【０００２】
従来のシートバックには、内部にバネ材を張架したフレームに、モールド加工した発泡体製のパッドを被せ、そのパッドに、トリムカバーに被覆して接着することにより製造しているものがある。
【０００３】
そして、以上のトリムカバーはパッドの表面形状に一致するように凹凸状に成形し、その端末を接着剤でパッドの背面側に接着している(例えば、特開２００１−７０１０４号公報)。
【０００４】
【特許文献１】特開２００１−７０１０４号公報
【発明の開示】
【発明が解決しようとする課題】
【０００５】
以上のシートバックは製造後、シートクッションとシートバックとを組み立てる組み立てライン上に搬送して組み立てている。
【０００６】
そのため、シートバックの製造に工数を要し、コストダウンを図ることができないし、また、外観品質に優れたシートバックを製造できない不具合があった。
【０００７】
そこで、本発明はシートバックを効率よく製造でき、しかも、外観品質が安定した
シートバックを提供できるようにする。
【課題を解決するための手段】
【０００８】
以上の目的を達成するための本発明に係るシートバックの製造装置は、背面の周縁に凹溝を有する発泡体製パッドをフレームに被せてパッドの前面より凹溝までトリムカバーで被覆して製造するシートバックの製造方法であって、組立ライン上に移動可能に載置した治具にフレームを組付けるフレームセット工程と、治具に組付けたフレームに前記パッドを装着するパッドセット工程と、このパッドを加熱接着剤を介してトリムカバーで被覆するトリムカバー被覆工程と、パッドの凹溝にトリムカバーの端末を弾性を有するワイヤで押えるトリムカバー固定工程と、前記トリムカバーを加熱しパッドに加圧して接着する接着工程と、前記ワイヤをトリムカバーから取り外すワイヤ取り外し工程とを順次有する構成である。
【０００９】
そして、前記接着工程をトリムカバーの上部より加熱水蒸気を噴霧する水蒸気過熱工程と、この水蒸気過熱工程の後に加圧型でトリムカバーをパッドに加熱圧着する圧着工程と、この圧着工程の次に熱乾燥室で乾燥する乾燥工程とから構成するようにするのが好ましい。
【００１０】
更に、前記ワイヤ取外し工程の後に、パッドの背面側に補強布を接着するようにする。
【００１１】
また、前記トリムカバー被覆工程の加熱接着剤をトリムカバーと別体のホットメルト接着剤にするようにするのが望ましい。
【発明の効果】
【００１２】
本発明によれば自動車用シートの組み立てラインでシートバックを製造できるため、シートバックの製造効率が極めて良好になる。
【００１３】
そして、トリムカバーの端末をパッドの背面側にワイヤで押えるトリムカバー固定工程で固定して、接着工程でトリムカバーを接着するため、トリムカバーを加圧型で加圧、加熱して接着する作業を組み立てライン上で容易に行うことができる。
【００１４】
加えて、接着工程を水蒸気加熱工程、圧着工程、乾燥工程から構成することにより、加熱した水蒸気によりトリムカバーに湿度を付与するため、圧着工程により、トリムカバーがパッドの表面形状に成形し易くなり、乾燥工程でトリムカバーに生じる皺、タルミの発生を防止することができる。
【発明を実施するための最良の形態】
【００１５】
以下、本発明の一実施例を図面に基づいて説明する。
図１は本発明に使用する構成部材で、図中１はシートバック用のモールド加工した発泡体製のパッド、２は同トリムカバー、３は略トリムカバー２の形状に形成したホットメルト接着剤からなる加熱接着剤、４は本発明の製造方法時に使用する弾性を有するワイヤを各々示す。
【００１６】
以上のパッド１はその背面１０側の周縁に沿って凹溝１０Ａを有し、背面１０の先端に内方に向けて舌状１１が一体成形されている。この舌片１１の内側の空間に図５に示すようにシートバックのフレーム５が装着されるようにモールド成形されている。
【００１７】
なお、フレーム５は従来周知の形状のもので、逆Ｕ字状の枠体内に図４に示すように、パッド１支持用のＳ形ばね５１、５１などを張架したものである。
【００１８】
トリムカバー２は通気性部材でパッド１の前面側からパッド１の背面１０に設けた凹溝１０Ａを覆うような大きさ、形状に形成されている。図中２０はパッド１の前面側を被う身頃、２１、２１…は身頃１と一体の額縁とまち、２１Ａ…はまちの端末であるトリムカバー２の端末を示す。
【００１９】
このトリムカバー２はその裏面全面又は一部にあらかじめ熱溶融性接着剤を付着したものを使用してもよいが、図示する加熱接着剤３は熱溶融性(ホットメルト接着剤)のシート状接着剤で、略トリムカバー２と同形状に成形されている。  
【００２０】
図示するワイヤ４は、トリムカバー２の端末２１Ａを前記パッド１の凹溝１０Ａに押え付けられるように、Ｕ字状に折曲して外側に向けて拡大状に弾性が発生するような弾性部材である。
【００２１】
次に本発明に係るシートバックの製造方法を図２―図８に基づいて説明する。
まず、図２に示すように、フレームセット工程でフレーム５を治具６に組み付けてセットする。治具６はシートの組立ライン７上に方向転換可能に且つスライド可能に載置されている。
【００２２】
次に、組立ライン７を治具５が移動中又は組立ライン７の停止中に、パッドセット工程で前記パッド１をフレーム５に装着する。
【００２３】
然る後、トリムカバー被覆工程に移る。即ち、このパッド１に、加熱接着剤３、トリムカバー２の順で被覆する。この状態を図３、図４に示し、トリムカバー２の端末２１Ａがパッド１の凹溝１０Ａを接着剤３と共に被覆する。
【００２４】
なお、図２、図３において、図中５０はフレーム５を回動可能に連結するブラケットを示す。
【００２５】
次に、トリムカバー固定工程である前記ワイヤ４をパッド１の凹溝１０Ａに向けて挿し込みトリムカバー２の端末２１Ａを接着剤３と共に、パッド１の凹溝１０Ａ内に押さえ付ける。この状態を図５、図６に示し、この状態においてトリムカバー２は接着されていないため、トリムカバー２に生じる皺、タルミを除去する。
【００２６】
その後、トリムカバー２を加熱しパッド１の前面に加圧型で加圧して接着する接着工程に移行する。
この接着工程はトリムカバー２の上部より加熱水蒸気を噴霧して接着剤３を溶融する水蒸気加熱工程、この水蒸気加熱工程の後に加圧型でトリムカバー２をパッド１に加熱圧着する圧着工程、この圧着工程の次に熱乾燥室で乾燥して皺、タルミを除去すると同時に接着する乾燥工程とからなり、水蒸気加熱工程、圧着工程、乾燥工程の順に行う。
【００２７】
次に、前記加圧型を開放し、ワイヤ４をトリムカバー２から取り外すワイヤ取外し工程により、ワイヤ４を取り外す。
【００２８】
そして、図７に示すように、パッド背面補強工程で、パッド１のトリムカバー２で被覆されない背面側の舌片１１などに、不織布などの補強布８を接着して、パッド１の背面側等を補強するのが好ましい。
【００２９】
また、この補強布８を被覆するように、パッド１の背面に、バックボード(不図示)を固定するようにして図８に示すシートバックＳＢをシートの組み立てライン上で製造する。
【００３０】
なお、このシートバックＳＢに連結するシートクッション(不図示)も、前記治具６を使用してシートバックＳＢと略同様の工程で製造する。
【図面の簡単な説明】
【００３１】
【図１】本発明に使用するシートバックの構成部材の斜視図。
【図２】フレームセット工程を示す説明図。
【図３】トリムカバー被覆工程を示す説明図。
【図４】図３に示す工程の部分斜視図。
【図５】図４のＶ−Ｖ線断面図。
【図６】図５のＡ部の拡大図。
【図７】接着工程後の状態の断面図。
【図８】本発明方法に製造したシートバックの斜視図。
【符号の説明】
【００３２】
１…パッド、２…トリムカバー、３…加熱接着剤、４…ワイヤ。
【図１】
2009201629.tif 000003
【図２】
2009201629.tif 000004
【図３】
2009201629.tif 000005
【図４】
2009201629.tif 000006
【図５】
2009201629.tif 000007
【図６】
2009201629.tif 000008
【図７】
2009201629.tif 000009
【図８】
2009201629.tif 000010